(57)【要約】【課題】一の遊技機とその周辺設備の中だけで球が循環する遊技システムとしてコンパクトなものを提供する。【解決手段】遊技システムは、遊技媒体として球を用いる遊技機10と、遊技に用いる球の貸し出しを行う球貸機20と、遊技機10から球を回収して貯留するとともに貯留している球を遊技機10へ供給する補給機70とを備える。球貸機20は、遊技に用いる球の貸し出しを行う貸出部30と、球皿に貯留されている球を回収するための回収部40と、回収部40によって回収された球の数を計数するための計数部50とを備える。補給機70は、使用済球通路で誘導された球および計数部50で計数された後の球を貯留する下貯留部80と、下貯留部80に貯留されている球を送り出す送球部90と、送球部90で送り出された球を上貯留部15へ移送する移送通路100と、移送通路100の途中に設けられている研磨部110とを備える。【選択図】図１
2009291542.tif 000002
【特許請求の範囲】
【請求項１】
遊技媒体として球を用いる遊技機と、
遊技に用いる球の貸し出しを行う球貸機と、
遊技機から球を回収して貯留するとともに貯留している球を遊技機へ供給する補給機とを備えた遊技システムであって、
遊技機は、球を貯留するためのものであって遊技機裏面の上部に設けられている上貯留部と、上貯留部に貯留されている球を遊技機前面の所定位置に設けた払出口から払い出すための払出部と、払出部が払出口から払い出した球を貯留するためのものであって遊技機前面の所定位置に設けられている球皿と、球皿に貯留されている球を取り込んで遊技を行う遊技部と、遊技部で遊技に用いられた球を遊技機裏面の下部へ誘導する使用済球通路とを備え、
球貸機は、払出部を駆動させて上貯留部に貯留されている球を払出口から球皿に払い出すことにより遊技に用いる球の貸し出しを行う貸出部と、球皿に貯留されている球を遊技に用いることなく回収するための回収部と、回収部によって回収された球の数を計数するための計数部とを備え、
補給機は、使用済球通路によって誘導された球および計数部で計数された後の球を貯留するための下貯留部と、下貯留部に貯留されている球を送り出すための送球部と、送球部によって送り出された球を上貯留部へ移送するための移送通路と、球を磨くためのものであって移送通路の途中に設けられている研磨部とを備えていることを特徴とする遊技システム。
【請求項２】
計数部は、回収部によって回収された球を貯留するための計数球貯留部と、計数球貯留部に連設されており計数球貯留部に貯留されている球が流れ込むようにしてある計数用ベースと、計数用ベースに流れ込んできた球を移送するためのものであって計数用ベースの上面上を回転するようにしてありその回転によって球を移送するように形成されている計数用回転ディスクと、計数用回転ディスクを回転させるための計数用モータと、計数用回転ディスクの回転によって移送された球を排出するための球出口と、球出口から排出された球を検知するための計数用センサーとを備え、
計数用回転ディスクには、複数の貫通孔が設けられ、各貫通孔は、計数用回転ディスクの上面から下面まで貫通しており、計数用ベースに流れ込んできた球を計数用回転ディスクの上面側の開口部からその内部に取り込んで計数用回転ディスクの下面側の開口部から球出口へ向けて排出するように形成され、
計数用回転ディスクにおける、隣り合う貫通孔の間を、それぞれ仕切部としたときに、各仕切部は、計数用回転ディスクの回転に伴って、計数球貯留部から球出口への球の経路を横切るように形成されていることを特徴とする請求項１記載の遊技システム。
【請求項３】
研磨部は、平行に設けたｎ（ｎ≧３）本のガイド部材を備え、ｎ本のガイド部材の内側に、球を移送するための移送路を有し、移送路の中心から各ガイド部材までの距離を、球の半径よりもわずかに大きく設定し、かつ、隣り合うガイド部材同士の間隔を、球の直径よりも小さく設定し、これにより、複数の球を移送路内で一列に整列させた状態で、ｎ本のガイド部材の長手方向に沿って移送可能に形成されているとともに、ｎ本のガイド部材の外側からこれらを包むように設けられる紙製または布製の研磨材と、研磨材の外側から研磨材とともにｎ本のガイド部材を囲むように保持する保持具と、保持具の内面に設けられており隣り合うガイド部材同士の間隙を介して移送路内の球に研磨材を押し当てる押し当て部材とを備えていることを特徴とする請求項１または２記載の遊技システム。
【請求項４】
遊技媒体として球を用いるｍ（ｍ≧２）台の遊技機と、
ｍ台の各遊技機にそれぞれ対応して設けられるものであって、対応する遊技機に対して遊技に用いる球の貸し出しを行うｍ台の球貸機と、
ｍ台の各遊技機にそれぞれ対応して設けられるものであって、対応する遊技機から球を回収して貯留するとともに貯留している球を対応する遊技機に対して供給するｍ台の補給機と、
ｍ台の各遊技機にそれぞれ対応して設けられるものであって、対応する遊技機が設置されるとともに、この遊技機に対応する球貸機および補給機が設置されるｍ台の設置台とを備えた遊技機島装置であって、
各遊技機は、球を貯留するためのものであって裏面上部に設けられている上貯留部と、上貯留部に貯留されている球を前面所定位置に設けた払出口から払い出すための払出部と、払出部が払出口から払い出した球を貯留するためのものであって前面所定位置に設けられている球皿と、球皿に貯留されている球を取り込んで遊技を行う遊技部と、遊技部で遊技に用いられた球を裏面下部へ誘導する使用済球通路とを備え、
各球貸機は、対応する遊技機の払出部を駆動させて上貯留部に貯留されている球を払出口から球皿に払い出すことにより遊技に用いる球の貸し出しを行う貸出部と、対応する遊技機の球皿に貯留されている球を遊技に用いることなく回収するための回収部と、回収部によって回収された球の数を計数するための計数部とを備え、
各補給機は、対応する遊技機の使用済球通路によって誘導された球および対応する球貸機の計数部で計数された後の球を貯留するための下貯留部と、下貯留部に貯留されている球を送り出すための送球部と、送球部によって送り出された球を対応する遊技機の上貯留部へ移送するための移送通路と、球を磨くためのものであって移送通路の途中に設けられている研磨部とを備え、
各設置台に、対応する遊技機、球貸機および補給機をそれぞれ設置して遊技ユニットとし、この遊技ユニットをｍ台並設して構築されることを特徴とする遊技機島装置。
【発明の詳細な説明】
【技術分野】
【０００１】
本発明は、遊技媒体として球を用いる遊技機と、遊技に用いる球の貸し出しを行う球貸機と、遊技機から球を回収して貯留するとともに貯留している球を遊技機へ供給する補給機とを備えた遊技システムに関し、更に詳しくは、遊技システム内で球が循環するようにした遊技システムに関するものである。
【背景技術】
【０００２】
遊技媒体として球を用いる遊技機として、パチンコやパロットなどがある。
従来から、パチンコホールでは、島などと呼ばれる構造物に、複数の遊技機が一列に並べて設置されている。
また、島の端には、球を貸し出すための球貸機が設けられている。
また、島の内部には、各遊技機から球を回収し、回収した球を研磨し、研磨した球を各遊技機へ球を供給する、補給ラインが設けられている。
具体的には、島の内部における遊技機よりも低い位置には、遊技機の裏面下部から落下した球を移送するための下樋と、下樋によって移送された球を貯留するための下タンクとが設けられている。また、島の内部における遊技機よりも高い位置には、球を貯留するための上タンクと、上タンクから送り出された球を移送するための上樋とが設けられている。さらに、島の内部には、下タンクに貯留された球を研磨するための研磨機と、研磨機で研磨された球を上タンクへ移送するための揚送装置とが設けられている。
【０００３】
遊技者は、まず球貸機で球を借り、それを遊技機の球皿に投入して遊技を行う。
また、遊技に用いられた球、つまり、パチンコであれば遊技盤面に打ち出された球は、遊技機の裏面下部から島の内部に落下する。また、遊技機の裏面下部から落下した球は、下樋によって移送されて、下タンクに貯留される。また、下タンクに貯留された球は、研磨機で研磨された後に、揚送装置によって移送されて、上タンクに貯留される。そして、上タンクに貯留された球は、上樋によって移送されて、各遊技機の裏面上部に設けた上貯留部に供給される。
また、遊技で獲得した球、つまり、パチンコであれば入賞を契機に払い出された球は、球皿からドル箱などと呼ばれる容器へ移され、パチンコホール内の景品交換コーナーへ運ばれて、そこでジェットカウンターなどと呼ばれる計数機で計数される。その後、遊技機の裏面下部から落下した球と同様に回収され、下タンクに貯留され、研磨機で研磨され、上タンクへ移送され、各遊技機の上貯留部へ移送される。
【０００４】
このように、従来の補給ラインは、非常に大掛かりな設備であり、新設はもとより改装に伴う変更であっても、多額の費用を必要とするため、安易に行うことができなかった。
またここで、近年、遊技で獲得した球をドル箱に入れて景品交換コーナーの計数機まで運ぶ煩わしさを解消するため、各遊技機の側にそれぞれ計数機を設け、遊技で獲得した球の数を対応する計数機で計数し、その結果をレシートに出力するか、あるいは磁気カードに書き込み、これを景品交換コーナーまで持って行けば済むようにした設備が提供されている。さらに、このような設備と、プリペイドカードで球の貸し出しおよび売り上げの管理を行う、いわゆるＣＲ機などと呼ばれる遊技機とを組み合わせると、球の貸し出しから返却までを遊技機から離れずに行える遊技システムを構築できる。そして、このような遊技システムに、計数機で計数した後の球を研磨する設備と、研磨した球を遊技機に供給する設備とを組み合わせれば、一の遊技機とその周辺設備の中だけで球が循環する遊技システムを構築できる。
【特許文献１】特開２００７−２９７５２号公報
【発明の開示】
【発明が解決しようとする課題】
【０００５】
しかし、一の遊技機とその周辺設備の中だけで球が循環する遊技システムとして、コンパクトで安価なものは、従来はなかった。
（第１の発明）
そこで、第１の発明は、球貸機に、払出部を駆動させて上貯留部に貯留されている球を払出口から球皿に払い出すことにより遊技に用いる球の貸し出しを行う貸出部と、球皿に貯留されている球を遊技に用いることなく回収するための回収部と、回収部によって回収された球の数を計数するための計数部とを備えるとともに、補給機に、使用済球通路によって誘導された球および計数部で計数された後の球を貯留するための下貯留部と、下貯留部に貯留されている球を送り出すための送球部と、送球部によって送り出された球を上貯留部へ移送するための移送通路と、球を磨くためのものであって移送通路の途中に設けられている研磨部とを備えることにより、一の遊技機とその周辺設備の中だけで球が循環する遊技システムとしてコンパクトで安価なものを提供することを目的とする。
【０００６】
（第２の発明）
また、第２の発明は、第１の発明の目的に加え、計数部に、回収部によって回収された球を貯留する計数球貯留部と、計数球貯留部に貯留されている球が流れ込む計数用ベースと、計数用ベースに流れ込んできた球を移送する計数用回転ディスクと、計数用回転ディスクを回転させる計数用モータと、計数用回転ディスクによって移送された球を排出する球出口と、球出口から排出された球を検知する計数用センサーとを備え、また、計数用回転ディスクには、その上面から下面まで貫通する複数の貫通孔を設けて、計数球貯留部から流れ込んできた球を上面側から取り込んで下面側から球出口へ排出するように、各貫通孔を形成し、さらに、計数用回転ディスクにおける隣り合う貫通孔の間を仕切部とし、計数用回転ディスクの回転に伴って計数球貯留部から球出口への球の経路を仕切部が定期的・機械的に横切るようにして、計数用センサーにアクセスする不正行為を防止することを目的とする。
【０００７】
（第３の発明）
また、第３の発明は、第１または第２の発明の目的に加え、研磨部に、平行に設けたｎ（ｎ≧３）本のガイド部材を備え、ｎ本のガイド部材の内側に、球を移送するための移送路を設け、移送路の中心から各ガイド部材までの距離を、球の半径よりもわずかに大きく設定し、かつ、隣り合うガイド部材同士の間隔を、球の直径よりも小さく設定し、これにより、複数の球を移送路内で一列に整列させた状態で、ｎ本のガイド部材の長手方向に沿って移送可能に形成し、さらに、ｎ本のガイド部材の外側からこれらを包むように設けられる紙製または布製の研磨材と、研磨材の外側から研磨材とともにｎ本のガイド部材を囲むように保持する保持具と、保持具の内面に設けられており隣り合うガイド部材同士の間隙を介して移送路内の球に研磨材を押し当てる押し当て部材とを備えることにより、コンパクトな研磨部を提供することを目的とする。
【０００８】
（第４の発明）
また、第４の発明は、第１の発明の遊技システムを１台の設置台に組み込んで一の遊技ユニットとし、この遊技ユニットをｍ台並設して一の遊技機島装置とすることにより、各遊技ユニット内で球が循環するようにして、改装に伴う遊技機の増減や配置変更を容易に行える遊技機島装置を提供することを目的とする。
【課題を解決するための手段】
【０００９】
（第１の発明）
第１の発明は、遊技媒体として球を用いる遊技機10と、遊技に用いる球の貸し出しを行う球貸機20と、遊技機10から球を回収して貯留するとともに貯留している球を遊技機10へ供給する補給機70とを備えた遊技システムであって、遊技機10は、球を貯留するためのものであって遊技機10裏面の上部に設けられている上貯留部15と、上貯留部15に貯留されている球を遊技機10前面の所定位置に設けた払出口から払い出すための払出部と、払出部が払出口から払い出した球を貯留するためのものであって遊技機10前面の所定位置に設けられている球皿と、球皿に貯留されている球を取り込んで遊技を行う遊技部と、遊技部で遊技に用いられた球を遊技機10裏面の下部へ誘導する使用済球通路とを備え、球貸機20は、払出部を駆動させて上貯留部15に貯留されている球を払出口から球皿に払い出すことにより遊技に用いる球の貸し出しを行う貸出部30と、球皿に貯留されている球を遊技に用いることなく回収するための回収部40と、回収部40によって回収された球の数を計数するための計数部50とを備え、補給機70は、使用済球通路によって誘導された球および計数部50で計数された後の球を貯留するための下貯留部80と、下貯留部80に貯留されている球を送り出すための送球部90と、送球部90によって送り出された球を上貯留部15へ移送するための移送通路100と、球を磨くためのものであって移送通路100の途中に設けられている研磨部110とを備えていることを特徴とする。
【００１０】
ここで、「遊技媒体として球を用いる遊技機10」としては、例えば、パチンコやパロットなどがあり、それ以外にも、例えば、雀球やアレンジボールなどがある。なお、パロットとは、遊技媒体としてメダルではなく球を用いるスロットマシンをいう。
また、「球貸機20」は、遊技に用いる球の貸し出しを行うためのものである。球貸機20は、遊技機10に隣接して設置されるものであり、複数の遊技機10が並べて設置される場合には、一の遊技機10とその隣の遊技機10との間に挟むようにして設置されるものである。また、複数の遊技機10が並べて設置される場合には、球貸機20は、各遊技機10にそれぞれ対応して設けられるものである。
【００１１】
また、「補給機70」は、遊技機10から球を回収して貯留するとともに、貯留している球を遊技機10へ供給するためのものである。また、複数の遊技機10が並べて設置される場合には、補給機70は、各遊技機10にそれぞれ対応して設けられるものである。
また、「上貯留部15」は、球を貯留するためのものであって、遊技機10の裏面上部に設けられるものである。
また、「払出部」は、上貯留部15に貯留されている球を遊技機10前面の所定位置に設けた払出口から払い出すためのものである。
また、上貯留部15および払出部は、遊技機10の裏面に設けられるものであって、裏セットなどとも呼ばれるものである。
【００１２】
また、「球皿」は、払出部が払出口から払い出した球を貯留するためのものであって、遊技機10前面の所定位置に設けられているものである。
例えば、前面の所定位置に、払出部が払出口から払い出した球を貯留するための上皿13が設けられているとともに、前面における上皿13の下方に相当する位置に、上皿13に貯留しきれない球を貯留するための下皿14が設けられている遊技機10がある。このような遊技機10では、上皿13に貯留されている球を、遊技機10の内部に取り込んで、遊技を行うようになっている。そして、このような遊技機10では、上皿13が球皿に相当する。
また、例えば、上述した上皿13と下皿14とが一体化された構造物が設けられている遊技機10もある。このような遊技機10では、その上皿13と下皿14とが一体化された構造部に貯留されている球を、遊技機10の内部に取り込んで、遊技を行うようになっている。そして、このような遊技機10では、その上皿13と下皿14とが一体化された構造部が球皿に相当する。
【００１３】
また、「遊技部」は、球皿に貯留されている球を取り込んで遊技を行うものである。
例えば、パチンコでは、遊技盤の前面に遊技領域が設けられ、また、遊技領域には入賞口やアウト口が設けられている。そして、球皿に貯留されている球を、投入口から内部に取り込み、この取り込んだ球を発射装置で遊技領域へ打ち出し、入賞口を狙うことによって、遊技が行われるものである。このため、パチンコでは、遊技盤および発射装置等が遊技部に相当する。
また、例えば、パロットでは、周囲に複数個の図柄が付されている複数個の回転リールと、遊技媒体をベットするためのベットスイッチと、回転リールの回転を開始させるためのスタートスイッチと、回転リールの回転を停止させるためのストップスイッチとが設けられている。そして、球皿に貯留されている球を、投入口から内部に取り込み、この取り込んだ球をベットスイッチの操作でベットし、その後にスタートスイッチを操作して、すべての回転リールの回転を開始させ、その後にストップスイッチを操作して、対応する回転リールの回転を停止させ、入賞ライン上に所定の図柄配列を揃えることによって、遊技が行われるものである。このため、パロットでは、回転リール、ベットスイッチ、スタートスイッチおよびストップスイッチ等が遊技部に相当する。
【００１４】
また、「使用済球通路」は、遊技部で遊技に用いられた球を遊技機10裏面の下部へ誘導するものである。
例えば、パチンコでは、遊技領域に打ち出された球は、入賞口またはアウト口を通過して遊技盤の裏側へ誘導され、その後、入賞球通路またはアウト球通路によって、遊技機10の裏面下部へ誘導される。このため、パチンコでは、入賞球通路およびアウト球通路が使用済球通路に相当する。
また、例えば、遊技部で遊技に用いられた球を「使用球」とし、入賞口に入った球を「入賞球」とし、アウト口に入った球を「アウト球」とすると、使用球とは、入賞球とアウト球との総称である。
【００１５】
また、パロットでは、ベットスイッチの操作でベットされた球は、ベット球通路によって、遊技機10の裏面下部へ誘導される。このため、パロットでは、ベット球通路が使用済球通路に相当する。
また、「貸出部30」は、払出部を駆動させて上貯留部15に貯留されている球を払出口から球皿に払い出すことにより遊技に用いる球の貸し出しを行うものである。
例えば、球貸機20に設けられたカードリーダー31に所定のプリペイドカード32を挿入し、遊技機10の前面に設けた球貸スイッチを操作すると、貸出部30が払出部を駆動させて、上貯留部15に貯留されている球を払出口から球皿に払い出す。このようにして、遊技に用いる球の貸し出しを行うものがある。
【００１６】
また、例えば、遊技で獲得した球を「賞球」とし、貸出部30によって貸し出された球を「貸球」とすると、遊技機10の払出口から払い出されて球皿に貯留されるのは、賞球と貸球である。
また、「回収部40」は、球皿に貯留されている球を遊技に用いることなく回収するためのものである。
例えば、下皿14の底面中央に、底面を上下に貫通する排出口が設けられているとともに、この排出口を開閉するシャッターと、排出口を開放する位置と閉じる位置とにシャッターを変位させるレバーとを備えた遊技機10がある。さらに、下皿14の下方に、排出口から排出された球を受け止めて一定方向へ移送する回収樋41を設けることができる。このような場合、回収樋41等が回収部40に相当する。
【００１７】
また、「計数部50」は、回収部40によって回収された球の数を計数するためのものである。
例えば、球貸機20の下部に、計数部50を設ける。また、回収部40としての回収樋41で移送された球は、計数部50へ至るようにする。そうすると、回収部40によって回収された球の数を計数部50で計数できる。
また、「下貯留部80」は、使用済球通路によって誘導された球および計数部50で計数された後の球を貯留するためのものである。
また、下貯留部80は、使用済球通路および計数部50よりも下方に設けることができる。そうすると、使用済球通路によって誘導された球、および計数部50で計数された後の球は、自重で落下して下貯留部80へ至り、そこに貯留されるようにすることができる。
【００１８】
また、「送球部90」は、下貯留部80に貯留されている球を送り出すためのものである。
また、送球部90としては、例えば、下貯留部80に貯留されている球を１個ずつ送り出すものを採用することができる。
また、「移送通路100」は、送球部90によって送り出された球を上貯留部15へ移送するためのものである。
また、移送通路100として、例えば、パイプを採用するとともに、このパイプの内径を、球の直径よりもわずかに大きいものとすることができる。そうすると、送球部90から１個ずつ送り出される球を、移送通路100で一列に整列させて移送することができるのみならず、移送通路100の下端から球が１個押し込まれる毎に、移送通路100の上端から球が１個押し出されるようにすることができる。
【００１９】
また、「研磨部110」は、球を磨くためのものであって、移送通路100の途中に設けられているものである。
このように、一の遊技機10とその周辺設備のセットである、本発明に係る遊技システムの中だけで球が循環することから、大掛かりな設備工事が不要となるので、改装に伴う遊技機10の増減や配置変更を容易に行えるようになる。
もちろん、一の遊技機10とその周辺設備のセットである、本発明に係る遊技システムを、一組のみ単独で設置することも可能である。
また、一の遊技機10とその周辺設備のセットである、本発明に係る遊技システムの中だけで球が循環するものの、移送通路100の途中に研磨部110を設けたことから、球や遊技領域等の汚れを防止できる。
【００２０】
また、本発明によれば、球皿に貯留されている球を回収部40で回収するものの、下貯留部80へ移す前に計数部50で計数することから、球皿に貯留されている球の数を把握できる。
（第２の発明）
第２の発明は、第１の発明を限定したものであって、計数部50は、回収部40によって回収された球を貯留するための計数球貯留部51と、計数球貯留部51に連設されており計数球貯留部51に貯留されている球が流れ込むようにしてある計数用ベース52と、計数用ベース52に流れ込んできた球を移送するためのものであって計数用ベース52の上面上を回転するようにしてありその回転によって球を移送するように形成されている計数用回転ディスク55と、計数用回転ディスク55を回転させるための計数用モータ59と、計数用回転ディスク55の回転によって移送された球を排出するための球出口54と、球出口54から排出された球を検知するための計数用センサー62とを備え、計数用回転ディスク55には、複数の貫通孔56が設けられ、各貫通孔56は、計数用回転ディスク55の上面から下面まで貫通しており、計数用ベース52に流れ込んできた球を計数用回転ディスク55の上面側の開口部からその内部に取り込んで計数用回転ディスク55の下面側の開口部から球出口54へ向けて排出するように形成され、計数用回転ディスク55における、隣り合う貫通孔56の間を、それぞれ仕切部57としたときに、各仕切部57は、計数用回転ディスク55の回転に伴って、計数球貯留部51から球出口54への球の経路を横切るように形成されていることを特徴とする。
【００２１】
ここで、「計数球貯留部51」は、回収部40によって回収された球を貯留するためのものである。
また、「計数用ベース52」は、計数球貯留部51に連設されているものであって、計数球貯留部51に貯留されている球が流れ込むようにしてあるものである。
また、「計数用回転ディスク55」は、計数用ベース52に流れ込んできた球を移送するためのものであって、計数用ベース52の上面上を回転するようにしてあり、その回転によって球を移送するように形成されているものである。
また、「計数用モータ59」は、計数用回転ディスク55を回転させるためのものである。
【００２２】
また、「球出口54」は、計数用回転ディスク55の回転によって移送された球を排出するためのものである。
また、「計数用センサー62」は、球出口54から排出された球を検知するためのものである。計数用センサー62が球を検知したときに出力される信号の数をカウントすることにより、回収部40によって回収された球の数を計数することができる。具体的には、例えば、計数用回転ディスク55の回転によって移送されて球出口54から排出された球を計数用センサー62が検知すると、計数信号が出力されるように形成するとともに、計数信号の入力がある毎にカウント値を１つ加算する回収球数カウンタを設ける。そうすると、回数球数カウンタのカウント値が、回収部40によって回収された球の数を示すものとなる。
【００２３】
また、計数用回転ディスク55には、複数の貫通孔56が設けられている。
また、各貫通孔56は、計数用回転ディスク55の上面から下面まで貫通しており、計数用ベース52に流れ込んできた球を計数用回転ディスク55の上面側の開口部からその内部に取り込んで計数用回転ディスク55の下面側の開口部から球出口54へ向けて排出するように形成されている。
そして、計数用回転ディスク55における、隣り合う貫通孔56の間を、それぞれ仕切部57としたときに、各仕切部57は、計数用回転ディスク55の回転に伴って、計数球貯留部51から球出口54への球の経路を横切るように形成されている。
【００２４】
本発明によれば、各仕切部57が、計数球貯留部51から球出口54への球の経路を、定期的・機械的に遮断する。このため、例えば、糸を括り付けた球を計数用センサー62の位置まで進ませ、糸を操ることで球が計数用センサー62の前後を往復するようにして、回収部40が回収した球の数を不正に加算しようとしても、計数球貯留部51から球出口54への球の経路を、各仕切部57が定期的・機械的に遮断するので、糸をうまく操れず、しまいには糸が計数用回転ディスク55に絡まったり途中で切れたりする。したがって、上述したような不正行為を防止できる。
また、計数用モータ59の駆動信号を常時出力するようにし、計数用回転ディスク55を常時回転させるようにすることができる。そうすると、上述したような不正行為をより確実に防止できる。
【００２５】
さらに、計数用回転ディスク55に糸が絡まると、計数用モータ59の駆動信号が出力されているにもかかわらず、計数用回転ディスク55が回転しなくなることもある。つまり、計数用モータ59の駆動信号が出力されているときに、計数用回転ディスク55の回転が検知されなくなることもある。このような場合には、例えば、計数エラー検知手段により、計数部50に不正行為あるいは故障などのエラーが発生していると判断されて、計数エラー信号が出力されるようにすることができる。
（第３の発明）
第３の発明は、第１または第２の発明を限定したものであって、研磨部110は、平行に設けたｎ（ｎ≧３）本のガイド部材111を備え、ｎ本のガイド部材111の内側に、球を移送するための移送路を有し、移送路の中心から各ガイド部材111までの距離を、球の半径よりもわずかに大きく設定し、かつ、隣り合うガイド部材111同士の間隔を、球の直径よりも小さく設定し、これにより、複数の球を移送路内で一列に整列させた状態で、ｎ本のガイド部材111の長手方向に沿って移送可能に形成されているとともに、ｎ本のガイド部材111の外側からこれらを包むように設けられる紙製または布製の研磨材114と、研磨材114の外側から研磨材114とともにｎ本のガイド部材111を囲むように保持する保持具115と、保持具115の内面に設けられており隣り合うガイド部材111同士の間隙を介して移送路内の球に研磨材114を押し当てる押し当て部材122とを備えていることを特徴とする。
【００２６】
ここで、「ｎ」は、３以上の正整数・自然数を意味するものである。
また、「ガイド部材111」は、ｎ本備えられる。また、ｎ本のガイド部材111は、平行に設けられる。また、ｎ本のガイド部材111の内側には、球を移送するための移送路が設けられる。また、移送路の中心から各ガイド部材111までの距離は、球の半径よりもわずかに大きく設定される。また、隣り合うガイド部材111同士の間隔は、球の直径よりも小さく設定される。これにより、複数の球を移送路内で一列に整列させた状態で、ｎ本のガイド部材111の長手方向に沿って移送可能とすることができる。
また、「研磨材114」は、移送路内を移送される球を研磨するためのものであって、ｎ本のガイド部材111の外側からこれらを包むように設けられるものである。また、研磨材114は、紙製または布製とされる。これにより、ｎ本のガイド部材111の外側からこれらを包むことができる。
【００２７】
また、「保持具115」は、研磨材114の外側から研磨材114とともにｎ本のガイド部材111を囲むように保持するためのものである。
また、「押し当て部材122」は、保持具115の内面に設けられており、隣り合うガイド部材111同士の間隙を介して、移送路内の球に研磨材114を押し当てるためのものである。
研磨材114は、押し当て部材122によって、隣り合うガイド部材111同士の間隙から、移送路内へ押し込まれる。そして、このようにして移送路内に押し込まれた研磨材114が、移送路内を移送される球に当たる。そして、移送路内を移送される球の表面に付着した汚れは、研磨材114によって拭き取られる。このようにして、移送路内を移送される球が研磨材114で研磨され、球の表面に付着した汚れが研磨材114に移り、球がきれいになる。
【００２８】
このように、本発明によれば、コンパクトな研磨部110が提供できる。
（第４の発明）
第４の発明は、遊技媒体として球を用いるｍ（ｍ≧２）台の遊技機10と、ｍ台の各遊技機10にそれぞれ対応して設けられるものであって、対応する遊技機10に対して遊技に用いる球の貸し出しを行うｍ台の球貸機20と、ｍ台の各遊技機10にそれぞれ対応して設けられるものであって、対応する遊技機10から球を回収して貯留するとともに貯留している球を対応する遊技機10に対して供給するｍ台の補給機70と、ｍ台の各遊技機10にそれぞれ対応して設けられるものであって、対応する遊技機10が設置されるとともに、この遊技機10に対応する球貸機20および補給機70が設置されるｍ台の設置台155とを備えた遊技機島装置160であって、各遊技機10は、球を貯留するためのものであって裏面上部に設けられている上貯留部15と、上貯留部15に貯留されている球を前面所定位置に設けた払出口から払い出すための払出部と、払出部が払出口から払い出した球を貯留するためのものであって前面所定位置に設けられている球皿と、球皿に貯留されている球を取り込んで遊技を行う遊技部と、遊技部で遊技に用いられた球を裏面下部へ誘導する使用済球通路とを備え、各球貸機20は、対応する遊技機10の払出部を駆動させて上貯留部15に貯留されている球を払出口から球皿に払い出すことにより遊技に用いる球の貸し出しを行う貸出部30と、対応する遊技機10の球皿に貯留されている球を遊技に用いることなく回収するための回収部40と、回収部40によって回収された球の数を計数するための計数部50とを備え、各補給機70は、対応する遊技機10の使用済球通路によって誘導された球および対応する球貸機20の計数部50で計数された後の球を貯留するための下貯留部80と、下貯留部80に貯留されている球を送り出すための送球部90と、送球部90によって送り出された球を対応する遊技機10の上貯留部15へ移送するための移送通路100と、球を磨くためのものであって移送通路100の途中に設けられている研磨部110とを備え、各設置台155に、対応する遊技機10、球貸機20および補給機70をそれぞれ設置して遊技ユニット130とし、この遊技ユニット130をｍ台並設して構築されることを特徴とする。
【００２９】
第４の発明は、第１の発明の遊技システムを１台の設置台155に組み込んで一の遊技ユニット130とし、この遊技ユニット130をｍ台並設して一の遊技機島装置160としたものである。
ここで、「ｍ」は、２以上の正整数・自然数を意味するものである。
また、遊技機10、球貸機20および補給機70は、それぞれｍ台ずつ備えられる。
また、ｍ台の各遊技機10には、球貸機20および補給機70がそれぞれ１対１で対応する。
また、「設置台155」は、１台の遊技機10が設置されるとともに、この遊技機10に対応する１台の球貸機20および１台の補給機70が設置されるものである。
【００３０】
また、設置台155は、１台の遊技機10が設置される遊技機設置部と、１台の球貸機20が設置される球貸機設置部と、１台の補給機70が設置される補給機設置部とを有する。そして、遊技機設置部に、遊技機10が設置されるとともに、この遊技機10に対応する球貸機20および補給機70が、球貸機設置部および補給機設置部にそれぞれ設置される。
また、設置台155も、ｍ台備えられる。また、ｍ台の各設置台155には、遊技機10、球貸機20および補給機70が、それぞれ１台ずつ設置される。
具体的には、例えば、第１および第２の２台の遊技機10と、２台の各遊技機10にそれぞれ対応して設けられる第１および第２の２台の球貸機20と、２台の各遊技機10にそれぞれ対応して設けられる第１および第２の２台の補給機70と、２台の各遊技機10にそれぞれ対応して設けられる第１および第２の２台の設置台155とが備えられる場合には、第１設置台155の遊技機設置部に、第１遊技機10が設置されるとともに、第１遊技機10に対応する第１球貸機20が、第１設置台155の球貸機設置部に、また、第１遊技機10に対応する第１補給機70が、第１設置台155の補給機設置部に、それぞれ設置される。同様に、第２設置台155の遊技機設置部に、第２遊技機10が設置されるとともに、第２遊技機10に対応する第２球貸機20が、第２設置台155の球貸機設置部に、また、第２遊技機10に対応する第２補給機70が、第２設置台155の補給機設置部に、それぞれ設置される。
【００３１】
また、各遊技機10が備える各構成については、第１の発明と同様である。
また、第１球貸機20は、対応する第１遊技機10の払出部を駆動させて上貯留部15に貯留されている球を払出口から球皿に払い出すことにより遊技に用いる球の貸し出しを行う貸出部30と、対応する第１遊技機10の球皿に貯留されている球を遊技に用いることなく回収するための回収部40と、回収部40によって回収された球の数を計数するための計数部50とを備える。第２球貸機20についても同様である。
また、各球貸機20が備える各構成については、第１の発明と同様である。
また、第１補給機70は、対応する第１遊技機10の使用済球通路によって誘導された球および対応する第１球貸機20の計数部50で計数された後の球を貯留するための下貯留部80と、下貯留部80に貯留されている球を送り出すための送球部90と、送球部90によって送り出された球を対応する第１遊技機10の上貯留部15へ移送するための移送通路100と、球を磨くためのものであって移送通路100の途中に設けられている研磨部110とを備える。第２補給機70についても同様である。
【００３２】
また、各補給機70が備える各構成については、第１の発明と同様である。
そして、各設置台155に、対応する遊技機10、球貸機20および補給機70を設置して遊技ユニット130とし、この遊技ユニット130をｍ台並設して一の遊技機島装置160を構築する。
本発明によれば、各遊技ユニット130内で球が循環することから、大掛かりな設備工事が不要となるので、改装に伴う遊技機10の増減や配置変更を容易に行えるようになる。
また、本発明によれば、各遊技ユニット130内で球が循環するものの、移送通路100の途中に研磨部110を設けたことから、球や遊技領域等の汚れを防止できる。
【００３３】
また、本発明によれば、球皿に貯留されている球を回収部40で回収するものの、下貯留部80へ移す前に計数部50で計数することから、球皿に貯留されている球の数を把握できる。
【発明の効果】
【００３４】
（第１の発明）
第１の発明によれば、球貸機に、払出部を駆動させて上貯留部に貯留されている球を払出口から球皿に払い出すことにより遊技に用いる球の貸し出しを行う貸出部と、球皿に貯留されている球を遊技に用いることなく回収するための回収部と、回収部によって回収された球の数を計数するための計数部とを備えるとともに、補給機に、使用済球通路によって誘導された球および計数部で計数された後の球を貯留するための下貯留部と、下貯留部に貯留されている球を送り出すための送球部と、送球部によって送り出された球を上貯留部へ移送するための移送通路と、球を磨くためのものであって移送通路の途中に設けられている研磨部とを備えたことから、一の遊技機とその周辺設備の中だけで球が循環する遊技システムとしてコンパクトで安価なものを提供できる。
【００３５】
（第２の発明）
第２の発明によれば、計数部に、回収部によって回収された球を貯留する計数球貯留部と、計数球貯留部に貯留されている球が流れ込む計数用ベースと、計数用ベースに流れ込んできた球を移送する計数用回転ディスクと、計数用回転ディスクを回転させる計数用モータと、計数用回転ディスクによって移送された球を排出する球出口と、球出口から排出された球を検知する計数用センサーとを備え、また、計数用回転ディスクには、その上面から下面まで貫通する複数の貫通孔を設けて、計数球貯留部から流れ込んできた球を上面側から取り込んで下面側から球出口へ排出するように、各貫通孔を形成し、さらに、計数用回転ディスクにおける隣り合う貫通孔の間を仕切部とし、計数用回転ディスクの回転に伴って計数球貯留部から球出口への球の経路を仕切部が定期的・機械的に横切るようにしたことから、計数用センサーにアクセスする不正行為が防止可能な計数部を提供できる。
【００３６】
（第３の発明）
第３の発明によれば、研磨部に、平行に設けたｎ（ｎ≧３）本のガイド部材を備え、ｎ本のガイド部材の内側に、球を移送するための移送路を設け、移送路の中心から各ガイド部材までの距離を、球の半径よりもわずかに大きく設定し、かつ、隣り合うガイド部材同士の間隔を、球の直径よりも小さく設定し、これにより、複数の球を移送路内で一列に整列させた状態で、ｎ本のガイド部材の長手方向に沿って移送可能に形成し、さらに、ｎ本のガイド部材の外側からこれらを包むように設けられる紙製または布製の研磨材と、研磨材の外側から研磨材とともにｎ本のガイド部材を囲むように保持する保持具と、保持具の内面に設けられており隣り合うガイド部材同士の間隙を介して移送路内の球に研磨材を押し当てる押し当て部材とを備えたことから、コンパクトな研磨部を提供できる。
【００３７】
（第４の発明）
第４の発明によれば、第１の発明の遊技システムを１台の設置台に組み込んで一の遊技ユニットとし、この遊技ユニットをｍ台並設して一の遊技機島装置としたことから、各遊技ユニット内で球が循環するので、改装に伴う遊技機の増減や配置変更を容易に行える遊技機島装置を提供できる。
【発明を実施するための最良の形態】
【００３８】
（第１の実施の形態）
図１ないし図７は、本発明の実施の形態を示すものである。
図１は、本実施の形態に係る球貸機20および補給機70を示す斜視図、図２の（Ａ）および（Ｂ）は、本実施の形態に係る遊技システムの側面図、図３は、本実施の形態に係る計数部50を示す分解斜視図、図４は、本実施の形態に係る送球部90を示す分解斜視図、図５の（Ａ）は、本実施の形態に係る研磨部110の分解斜視図、図５の（Ｂ）は、本実施の形態に係る研磨部110のガイド部材111を示す平面図、図５の（Ｃ）は、本実施の形態に係る研磨部110の保持具115を示す平面図、図５の（Ｄ）は、本実施の形態に係る研磨部110の平面図、図６は、本実施の形態に係る遊技システムの設置を示す斜視図である。
【００３９】
（遊技システム）
図１および図２に示すように、本実施の形態に係る遊技システムは、遊技媒体として球を用いる遊技機10と、遊技に用いる球の貸し出しを行う球貸機20と、遊技機10から球を回収して貯留するとともに貯留している球を遊技機10へ供給する補給機70とを備えている。
（遊技機10・パチンコ）
本実施の形態に係る遊技機10は、パチンコである。
図２に示すように、本実施の形態に係る遊技機10としてのパチンコは、パチンコホールの島に固定される裏枠11と、裏枠11にヒンジを介して開閉可能に取り付けられる前枠12と、前枠12に着脱可能に取り付けられる遊技盤とを備えている。
【００４０】
（裏枠11）
裏枠11は、島に固定されるものである。
裏枠11は、四角枠型の木枠から構成されている。
またここで、島とは、遊技機10を一列に並べて設置するための構造物であって、パチンコホールに設置されるものである。
また、裏枠11は、例えば、釘で打ちつけるなどして、島に固定される。
（前枠12）
前枠12は、裏枠11にヒンジを介して開閉可能に取り付けられるものである。
【００４１】
本実施の形態では、前枠12の左上端付近と裏枠11の左上端付近とが、ヒンジを介して取り付けられているとともに、前枠12の左下端付近と裏枠11の左下端付近とが、ヒンジを介して取り付けられている。これにより、前枠12は、裏枠11に対して開閉可能とされている。つまり、前枠12は、ヒンジを中心に回動する。
また、前枠12の中央には、遊技盤が臨む窓が大きく開口している。
また、前枠12の前面における、遊技盤の下方に相当する位置には、球が払い出される開口部である払出口が設けられ、また、図２の（Ａ）に示すように、前枠12の前面における、払出口の下方に相当する位置には、払出口から払い出された球を貯留するための球皿としての上皿13が設けられ、また、図２の（Ａ）に示すように、前枠12の前面における、上皿13の下方に相当する位置には、上皿13に貯留しきれない球を貯留するための下皿14が設けられている。
【００４２】
また、前枠12の前面の所定位置には、球貸スイッチと、返却スイッチとが設けられている。これらについては、後で詳しく説明する。
なお、後で詳しく説明するが、遊技機10の裏面側には、球を払い出すための払出部が設けられており、この払出部が払い出した球が、払出口を介して、遊技機10の前面側に払い出され、球皿としての上皿13に貯留されるのである。
また、図２の（Ａ）に示すように、上皿13は、前枠12の前面から前方へ向けて突出するように形成されている。
また、上皿13の底面は、右奥方向へ向かうに従って高さが次第に低くなるように滑らかに傾斜しており、また、上皿13の右奥には、球を遊技機10の内部に取り込むための投入口が設けられている。そして、上皿13に貯留されている球は、投入口から遊技機10の内部に取り込まれて、発射装置に供給される。
【００４３】
また、図２の（Ａ）に示すように、下皿14も、上皿13と同様に、前枠12の前面から前方へ向けて突出するように形成されている。
また、下皿14の底面は、周縁から中央へ向かうに従って高さが次第に低くなるように滑らかに傾斜している。また、下皿14の底面中央には、底面を上下に貫通する排出口が設けられている。さらに、下皿14には、排出口を開閉するシャッターと、排出口を開放する位置と閉じる位置とにシャッターを変位させるレバーとが設けられている。そして、シャッターが排出口を閉じた状態では、下皿14に球が貯留されるものの、レバーを操作してシャッターを変位させて排出口を開放すると、下皿14に貯留されている球が排出口から下方へ落下するようになっている。
【００４４】
また、前枠12の前面における、下皿14の右方に相当する位置には、発射装置を駆動させるための操作ハンドルが設けられている。
（遊技盤）
遊技盤は、ほぼ四角形状に形成されているベニヤから構成されている。また、遊技盤の前面には、円弧形状のガイドレールが設けられ、このガイドレールの内側が、遊技領域とされている。また、遊技領域の中央には、図柄表示装置が設けられているとともに、遊技領域における図柄表示装置の周囲には、複数の入賞口が設けられている。また、入賞口としては、所定個数の球の払い出しに係る一般入賞口や、図柄表示装置の作動に係る始動入賞口や、図柄表示装置に特定の図柄の組み合わせが表示されると作動する大入賞口などがある。また、遊技領域の中央最下部には、入賞口に入らなかった球を受け入れるためのアウト口が設けられている。
【００４５】
また、入賞口やアウト口が設けられている位置には、遊技盤を貫通する貫通孔が設けられている。そして、入賞口やアウト口に入った球は、貫通孔を通って、遊技盤の裏面側へ導かれる。
（発射装置）
前枠12の裏面下部であって、操作ハンドルの裏側に相当する位置には、発射装置が設けられている。操作ハンドルを時計回りに所定角度回すと、発射装置が駆動する。そして、投入口から取り込まれた球が、遊技領域へ向けて発射される。
（遊技部）
本実施の形態では、遊技盤および発射装置等が、球皿に貯留されている球を取り込んで遊技を行う「遊技部」を構成するものとなっている。
【００４６】
（入賞球通路・アウト球通路）
遊技盤の裏面には、入賞口に入って遊技盤の裏側へ導かれた球を遊技機10裏面の下部へ誘導するための入賞球通路と、アウト口に入って遊技盤の裏側へ導かれた球を遊技機10裏面の下部へ誘導するためのアウト球通路とが設けられている。
また、入賞球通路とアウト球通路とは、途中で合流して、遊技機10裏面の下部にまで達している。また、入賞球通路の途中には、球の通過を検知するための入賞検知センサーが設けられている。また、入賞検知センサーは、入賞口に球が入ったことを検知するためのものである。また、入賞球通路およびアウト球通路は、遊技盤の裏面に固定された集合カバー等から構成されている。
【００４７】
（使用済球通路）
本実施の形態では、入賞球通路およびアウト球通路が、遊技部で遊技に用いられた球を遊技機10裏面の下部へ誘導する「使用済球通路」を構成するものとなっている。
また、遊技部で遊技に用いられた球を「使用球」とし、入賞口に入った球を「入賞球」とし、アウト口に入った球を「アウト球」とすると、使用球とは、入賞球とアウト球との総称である。
（裏セット）
前枠12の裏面には、球の払い出しを担う裏セットが、ヒンジを介して開閉可能に取り付けられている。裏セットを閉じた状態では、前枠12および遊技盤の裏面の大部分が、裏セットで覆われるようになっている。
【００４８】
また、裏セットの上部には、つまり、遊技機10裏面の上部には、球を貯留するための上貯留部15が設けられ、また、上貯留部15の下方には、上貯留部15に貯留されている球を払出口から払い出すための払出部が設けられている。
（上貯留部15）
上貯留部15は、球を貯留するためのものであって、遊技機10裏面の上部に設けられているものである。
図２に示すように、上貯留部15は、上部が開放された箱型に形成されている。また、上貯留部15の底面は、一端から他端へ向かうに従って高さが次第に低くなるように滑らかに傾斜している。
【００４９】
また、上貯留部15の底面には、上貯留部15内の球の量を検知するための球量検知器が設けられている。具体的には、上貯留部15の底面の所定位置には、球量検知孔が設けられているとともに、この球量検知孔を塞ぐように、球量検知板が設けられている。また、この球量検知板は、一端に回動軸を有し、この回動軸を上貯留部15に回動可能に軸支されているとともに、上方復帰バネで付勢されている。また、球量検知板の下方には、球量検知スイッチが設けられている。そして、上貯留部15内の球の量が一定以上になり、球量検知板の上に比較的多くの球が載った状態になると、球量検知板が回動軸を中心に回動するようにして下方へ押し込まれる。そうすると、球量検知スイッチが押されて、補給機70の補給制御装置へ、補給停止信号が出力される。一方、上貯留部15内の球の量が一定以下になり、球量検知板の上の球が比較的少なくなると、あるいは球量検知板の上の球がなくなると、上方復帰バネの付勢力により、球量検知板が回動軸を中心に回動するようにして上方へ押し上げられる。そうすると、球量検知スイッチの押された状態が解除されて、補給機70の補給制御装置へ、補給開始信号が出力される。
【００５０】
このように、本実施の形態では、球量検知器は、上貯留部15の底面に設けた球量検知孔と、球量検知孔を塞ぐように設けた球量検知板と、球量検知板の一端を上貯留部15に回動可能に軸支する回動軸と、球量検知板を付勢する上方復帰バネと、球量検知板の変位によってスイッチングが行われる球量検知スイッチとから構成されている。
（払出部）
払出部は、上貯留部15に貯留されている球を遊技機10前面の所定位置に設けた払出口から払い出すためのものである。
（遊技制御装置）
遊技盤の裏面には、遊技を制御するための遊技制御装置が固定されている。また、遊技制御装置としては、遊技を制御するためのメイン基板や、メイン基板での遊技にあわせた効果音を発生させるためのサウンド基板や、メイン基板での遊技にあわせた図柄を図柄表示装置に表示させるための表示制御基板などがある。
【００５１】
始動入賞口に球が入ると、メイン基板は、乱数を用いた抽選を行う。そして、メイン基板は、この抽選により、図柄表示装置にいずれの図柄の組み合わせを表示させるかを決定して、その図柄の組み合わせを図柄表示装置に表示させるように、表示制御基板に命令したり、また、いずれの効果音を発生させるかを決定して、その効果音を発生させるように、サウンド基板に命令したり、また、装飾用又は演出用の発光体の点灯、消灯あるいは点滅を制御する。また、図柄表示装置に所定の図柄の組み合わせが表示されると、メイン基板は、大入賞口を所定時間作動させる。
そして、メイン基板、サウンド基板、および表示制御基板は、集合カバーの裏面にビスで固定されている。
【００５２】
（払出制御装置）
遊技盤の裏面には、払出部を制御するための払出制御装置が固定されている。
入賞検知センサーは、球の通過を検知すると、入賞信号を出力する。この入賞信号は、払出制御装置に入力されるようになっている。そして、払出制御装置は、入賞信号の入力があると、入賞の態様に応じた個数の球を払出口から払い出す。
このように、本実施の形態では、上皿13に貯留されている球は、投入口から遊技機10の内部に取り込まれ、発射装置で遊技領域へ打ち出され、入賞口またはアウト口を介して、入賞球通路またはアウト球通路へ導かれる。また、遊技領域へ打ち出された球が入賞口に入ると入賞となり、払出部が駆動して、入賞の態様に応じた個数の球が払出口を介して上皿13に払い出される。
【００５３】
（球貸機20）
図１および図２に示すように、本実施の形態では、球貸機20は、四角箱型の筐体を備え、この筐体の内部に、払出部を駆動させて上貯留部15に貯留されている球を払出口から球皿に払い出すことにより遊技に用いる球の貸し出しを行う貸出部30と、球皿に貯留されている球を遊技に用いることなく回収するための回収部40と、回収部40によって回収された球の数を計数するための計数部50と、貸出部30や計数部50の動作を制御する球貸制御装置とを備えている。
（貸出部30）
図２に示すように、貸出部30は、払出部を駆動させて上貯留部15に貯留されている球を払出口から球皿に払い出すことにより遊技に用いる球の貸し出しを行うためのものである。
【００５４】
貸出部30は、カードリーダー31を備えている。また、上述したように、遊技機10の前枠12前面の所定位置には、球貸スイッチと、返却スイッチとが設けられている。そして、このカードリーダー31に所定のプリペイドカード32を挿入し、球貸スイッチを操作すると、貸出部30が払出部を駆動させる。これにより、上貯留部15に貯留されている球が、払出口から球皿としての上皿13に払い出される。このようにして、遊技に用いる球の貸し出しが行われる。
また、返却スイッチを操作すると、カードリーダー31からプリペイドカード32が排出される。これにより、プリペイドカード32が遊技者に返却される。
【００５５】
また、貸出部30の動作は、球貸制御装置が制御するようになっている。
（回収部40）
回収部40は、球皿に貯留されている球を遊技に用いることなく回収するためのものである。
図１および図２に示すように、本実施の形態では、下皿14の下方から球貸機20の筐体下部へ至る樋状の回収樋41が設けられている。この回収樋41は、下皿14の下方から球貸機20の筐体下部へ向かうに従って高さが次第に低くなるように滑らかに傾斜している。また、回収樋41は、上部が開放されており、また、回収樋41の上流側の端部付近は、下皿14の底面中央に設けられた排出口の下方に位置するようになっている。これにより、下皿14の排出口から落下した球は、回収樋41の上流側の端部付近で受け止められ、回収樋41の傾斜に従って球貸機20の筐体下部へ移送される。このようにして、球皿に貯留されている球の回収が行われる。そして、本実施の形態では、この回収樋41等が回収部40を構成するものとなっている。
【００５６】
（計数部50）
計数部50は、回収部40によって回収された球の数を計数するためのものである。
図１および図２に示すように、本実施の形態では、計数部50は、球貸機20の筐体下部に設けられている。回収部40としての回収樋41によって回収された球は、計数部50へ至り、ここでその数を計数されるようになっている。
また、図３に示すように、本実施の形態では、計数部50は、回収部40によって回収された球を貯留するための計数球貯留部51と、計数球貯留部51に連設されており計数球貯留部51に貯留されている球が流れ込むようにしてある計数用ベース52と、計数用ベース52に流れ込んできた球を移送するためのものであって計数用ベース52の上面上を回転するようにしてありその回転によって球を移送するように形成されている計数用回転ディスク55と、計数用回転ディスク55を回転させるための計数用モータ59と、計数用回転ディスク55の回転によって移送された球を排出するための球出口54と、球出口54から排出された球を検知するための計数用センサー62と、計数用モータ59の駆動軸60と共に回転する計数用回転検知ディスク63と、計数用回転検知ディスク63の回転を検知する計数用回転検知センサー64と、計数球貯留部51内の球の有無を検知するための計数球検知器65とを備えている。
【００５７】
また、図３に示すように、計数用回転ディスク55には、複数の貫通孔56が設けられ、また、各貫通孔56は、計数用回転ディスク55の上面から下面まで貫通しており、計数用ベース52に流れ込んできた球を計数用回転ディスク55の上面側の開口部からその内部に取り込んで計数用回転ディスク55の下面側の開口部から球出口54へ向けて排出するように形成されている。
そして、図３に示すように、計数用回転ディスク55における、隣り合う貫通孔56の間を、それぞれ仕切部57としたときに、各仕切部57は、計数用回転ディスク55の回転に伴って、計数球貯留部51から球出口54への球の経路を横切るように形成されている。
【００５８】
以下更に、計数部50について詳しく説明する。
計数球貯留部51は、回収部40としての回収樋41によって回収・移送された球を貯留するためのものである。
また、図１および図２に示すように、計数球貯留部51は、球貸機20の筐体下部に設けられている。
また、図３に示すように、計数球貯留部51は、トレイ状に形成されている。また、計数球貯留部51の底面は、一方から他方へ向かうに従って、より具体的には、前側から後側へ向かうに従って、高さが次第に低くなるように滑らかに傾斜している。これにより、計数球貯留部51内に貯留された球は、計数球貯留部51の底面の傾斜に沿って、前側から後側へと転がって移動するようになっている。
【００５９】
また、図３に示すように、計数用ベース52は、計数球貯留部51の底面における、高さが低い方の端部、より具体的には、後側の端部に連設されている。また、計数用ベース52の底面は、計数球貯留部51の底面における、高さが低い方の端部、より具体的には、後側の端部よりも高さが低くしてある。これにより、計数球貯留部51に貯留された球は、計数球貯留部51の底面の傾斜に沿って、前側から後側へと転がって移動し、計数用ベース52へ流れ込むようになっている。また、計数用ベース52の上面には、計数用回転ディスク55がすっぽり嵌り込む大きさの円形凹部53と、円形凹部53の縁から円形凹部53の接線方向へ延びて計数用ベース52の一端へ至る、円形凹部53と同じ深さの排出路とが設けられている。また、排出路の先端は、計数用ベース52の一端に開口しており、球が排出される球出口54とされている。この球出口54は、計数用回転ディスク55の回転によって移送された球を排出するためのものである。また、円形凹部53の底面には、Ｃ字形のガイド溝が設けられている。また、ガイド溝は、計数用回転ディスク55の貫通孔56の回転軌跡に沿うように形成されている。また、排出路の底面には、排出路の長手方向に沿って形成された導出溝が設けられている。また、導出溝は、ガイド溝の一端から、計数用回転ディスク55の貫通孔56の回転軌跡の接線方向へ向けて延びている。また、ガイド溝と導出溝とは、滑らかに接続されている。また、ガイド溝および導出溝の深さは、球の半径よりもやや浅く形成されている。つまり、ガイド溝および導出溝の深さは、球の半径よりもやや小さい。また、ガイド溝および導出溝の幅は、球の直径よりもやや狭く形成されている。つまり、ガイド溝および導出溝の幅は、球の直径よりもやや小さい。これにより、ガイド溝および導出溝には、球の中心よりも下側の部分がはまり込むようになっている。
【００６０】
また、計数用回転ディスク55は、計数用ベース52に流れ込んできた球を移送するためのものであって、ほぼ円盤状に形成され、計数用ベース52の上面に設けられた円形凹部53に収納されており、この中で回転するようにしてあり、その回転によって球を移送するように形成されているものである。
本実施の形態では、計数用回転ディスク55は、上から見て反時計回り（左回り）に回転するものとなっている。また、計数用回転ディスク55の中心には、シャフト固定部が設けられている。また、計数用回転ディスク55の下面からガイド溝の底までの距離が、球の直径よりもわずかに大きくなるように、計数用ベース52および計数用回転ディスク55が形成されている。また、図３に示すように、計数用回転ディスク55には、その上面から下面まで貫通する貫通孔56が複数個、具体的には４個、その中心から等距離の位置に、等間隔で設けられている。また、各貫通孔56の内径は、それぞれ、球の直径よりもわずかに大きい。これにより、各貫通孔56は、それぞれ、球を通過させることが可能とされている。
【００６１】
また、図３に示すように、計数用回転ディスク55における、隣り合う貫通孔56の間は、それぞれ仕切部57とされている。そして、各仕切部57は、計数用回転ディスク55の回転に伴って、計数球貯留部51から球出口54への球の経路を横切るようになっている。
また、図３に示すように、計数用回転ディスク55の下面における、各貫通孔56から見て計数用回転ディスク55の回転方向の後方に相当する位置には、それぞれ、ガイド溝の底方向へ向けて突出する球押圧部58が設けられている。また、球押圧部58は、ガイド溝にはまり込んだ球を、計数用回転ディスク55の回転に伴って後方から押して、ガイド溝に沿って移動させるためのものである。また、球押圧部58は、貫通孔56と同数個、すなわち４個設けられている。また、各球押圧部58は、対応する各貫通孔56から見て、計数用回転ディスク55の回転方向の後方に設けられている。つまり、貫通孔56と球押圧部58とは一対一対応になっている。また、各球押圧部58は、計数用回転ディスク55の中心から離れるに従って、計数用回転ディスク55の回転方向の後方へ曲がるように、滑らかに湾曲している。また、隣接する球押圧部58同士の間は、それぞれ、球が通り抜けるための通り抜け口とされている。
【００６２】
また、計数用モータ59は、計数用回転ディスク55を回転させるためのものである。図３に示すように、本実施の形態では、計数用モータ59は、計数用回転ディスク55よりも上方に設けられている。そして、計数用モータ59は、駆動軸60を下方に向けて突出させている。また、計数用モータ59の駆動軸60には、シャフト61が固定され、このシャフト61の下端が、計数用回転ディスク55の中心に設けたシャフト固定部に固定されている。そして、計数用モータ59の駆動軸60が回転すると、シャフト61を介して、計数用回転ディスク55が回転するようになっている。
計数球貯留部51内に貯留されている球は、計数用ベース52に流れ込み、計数用回転ディスク55に供給される。また、計数用回転ディスク55に供給された球は、貫通孔56の上面側の開口部から、貫通孔56の内部に取り込まれ、貫通孔56の下面側の開口部から排出されて、ガイド溝に嵌り込む。つまり、計数用回転ディスク55に供給された球は、貫通孔56を通過して、ガイド溝に嵌り込む。また、ガイド溝に嵌り込んだ球は、計数用回転ディスク55が回転すると、球押圧部58に押され、ガイド溝に沿って移動する。そして、球押圧部58に押されてガイド溝に沿って移動してきた球は、ガイド溝と導出溝との接続部まで達すると、ガイド溝から離脱し、その後は導出溝に沿って移動する。また、ガイド溝に嵌り込んだ球がガイド溝から離脱して導出溝へ送り出されると、送り出された球とは別の球が計数用回転ディスク55の貫通孔56を通過して、ガイド溝に嵌り込む。そして、このようにしてガイド溝に嵌り込んだ球も、計数用回転ディスク55が回転すると、上述したように、ガイド溝から離脱して導出溝へ送り出される。計数用回転ディスク55が回転し続けると、このような動作が繰り返されて、ガイド溝から導出溝へ次々と球が送り出される。そうすると、導出溝には、複数の球が数珠つなぎになって並ぶ。そして、先に導出溝へ送り出された球は、後から次々と導出溝へ送り出される球に押されて移動する。そして、ガイド溝から導出溝へ球が１個送り出される毎に、球出口54から球が１個押し出される。
【００６３】
また、計数用回転ディスク55の各仕切部57は、計数用回転ディスク55の回転に伴って、計数球貯留部51から球出口54への球の経路を横切る。つまり、各仕切部57が、計数球貯留部51から球出口54への球の経路を、定期的・機械的に遮断する。このため、例えば、糸を括り付けた球を計数用センサー62の位置まで進ませ、糸を操ることで球が計数用センサー62の前後を往復するようにして、回収部40が回収した球の数を不正に加算しようとしても、計数球貯留部51から球出口54への球の経路を、各仕切部57が定期的・機械的に遮断するので、糸をうまく操れず、しまいには糸が計数用回転ディスク55に絡まったり途中で切れたりする。したがって、上述したような不正行為を防止できる。さらに、計数用回転ディスク55に糸が絡まると、計数用モータ59の駆動信号が出力されているにもかかわらず、計数用回転ディスク55が回転しなくなることもある。このような場合には、後述する計数エラー検知手段により、計数部50に不正行為あるいは故障などのエラーが発生していると判断されて、計数エラー信号が出力される。
【００６４】
また、図３に示すように、計数用回転検知ディスク63は、円板状に形成され、その中心をシャフト61に固定されており、シャフト61と共に回転するようにしている。また、シャフト61は、計数用モータ59の駆動軸および計数用回転ディスク55と共に回転することから、計数用回転検知ディスク63は、計数用モータ59の駆動軸および計数用回転ディスク55と共に回転する。また、計数用回転検知ディスク63には、その上面から下面まで貫通する多数の検知孔が、計数用回転検知ディスク63の中心から等距離の位置に、所定間隔で設けられている。
また、計数用回転検知センサー64は、計数用回転検知ディスク63の回転を検知するためのものである。計数用回転検知センサー64は、フォトセンサーを用いて構成されている。また、このフォトセンサーは、光を発する発光部と、発光部から発せられた光を受ける受光部とを備えており、発光部と受光部とで計数用回転検知ディスク63を挟むようにしている。また、計数用モータ59の駆動軸の回転に伴って計数用回転検知ディスク63が回転すると、計数用回転検知ディスク63に設けられた多数の検知孔が、発光部と受光部との間を順次通過する。また、検知孔が設けられている位置では、発光部から発せられた光は受光部に届き、それ以外の位置では、発光部から発せられた光は受光部には届かない。そして、受光部が光を受けたり受けなかったりする状態が連続して検知されれば、計数用回転検知ディスク63が回転しているということになる。また、受光部が光を受ける状態が連続して検知されたり、あるいは受光部が光を受けない状態が連続して検知されたりすれば、計数用回転検知ディスク63が回転していないということになる。そして、計数用回転検知ディスク63と、計数用回転検知ディスク63の回転を検知するための計数用回転検知センサー64としてのフォトセンサーとから、計数用モータ59の駆動軸や計数用回転ディスク55が回転しているか否かを検知するためのロータリーエンコーダが構成されている。また、計数用モータ59の駆動軸60が回転すれば、計数用回転検知ディスク63が回転し、さらに、計数用回転ディスク55も回転する。逆に、計数用回転ディスク55が回転すれば、計数用回転検知ディスク63が回転し、さらに、計数用モータ59の駆動軸60も回転する。また、計数用モータ59の駆動軸60の回転が停止すれば、計数用回転検知ディスク63の回転が停止し、さらに、計数用回転ディスク55の回転も停止する。逆に、計数用回転ディスク55の回転が不正行為や故障などにより停止すれば、計数用回転検知ディスク63の回転が停止し、さらに、計数用モータ59の駆動軸60の回転も停止する。このため、計数用回転検知ディスク63と計数用回転検知センサー64とから構成されるロータリーエンコーダによって、計数用モータ59の駆動軸60や計数用回転ディスク55が回転しているか否かを検知できる。
【００６５】
また、計数用センサー62は、計数用ベース52の球出口54から排出された球を検知するためのものである。計数用回転ディスク55の回転によって移送された球が計数用センサー62を通過すると、計数用センサー62が球の通過を検知して計数信号を出力する。そして、この計数信号の数を計数することによって、計数用回転ディスク55の回転によって移送されて球出口54から排出された球の数を計数することができる。つまり、回収部40によって回収された球の数を計数することができる。そして、球出口54から排出され、計数用センサー62を通過した球は、下貯留部80に貯留される。
また、計数球検知器65は、計数球貯留部51内の球の有無を検知するためのものである。また、図３に示すように、計数球検知器65は、計数球貯留部51の底面における、高さが低い方の端部付近に設けられている。つまり、計数球検知器65は、計数球貯留部51の底面における、計数用ベース52側の端部付近に設けられている。さらに換言すれば、計数球検知器65は、計数球貯留部51の底面における、計数用ベース52との連設部付近に設けられている。より具体的には、図３に示すように、本実施の形態では、計数球貯留部51の底面における、高さが低い方の端部付近には、検知板用孔66が設けられているとともに、この検知板用孔66を塞ぐように、計数球検知板67が設けられている。また、この計数球検知板67は、一端に軸支部を有し、この軸支部を計数球貯留部51に回動可能に軸支されているとともに、検知板復帰バネで付勢されている。これにより、計数球検知板67は、その上に球がない状態では、その上面と計数球貯留部51の底面とが揃うようになっている。また、計数球検知板67は、その上に球が１個でもある状態では、その球の重量により、検知板復帰バネの付勢力に抗して、軸支部を中心に回動するようにして、軸支部とは反対側の端部が下方へ変位するようになっている。また、計数球検知板67は、その上に球が１個もなくなると、検知板復帰バネの付勢力により、その上面と計数球貯留部51の底面とが揃う位置へと復帰する。
【００６６】
また、図３に示すように、計数球検知板67の下方には、計数球検知スイッチ68が設けられている。そして、計数球検知板67の上面が計数球貯留部51の底面と揃った状態では、計数球検知スイッチ68は作動しないが、計数球検知板67における軸支部とは反対側の端部が下方へ変位した状態では、計数球検知スイッチ68が作動するようにしてある。また、計数球検知スイッチ68が作動しない状態では、計数球検知信号は出力されないが、計数球検知スイッチ68が作動すると、球貸制御装置へ、計数球検知信号が出力されるようになっている。
このように、本実施の形態では、計数球検知器65は、計数球貯留部51の底面に設けた検知板用孔66と、検知板用孔66を塞ぐように設けた計数球検知板67と、計数球検知板67の一端を計数球貯留部51に回動可能に軸支する軸支部と、計数球検知板67を付勢する検知板復帰バネと、計数球検知板67の変位によってスイッチングが行われる計数球検知スイッチ68とから構成されている。
【００６７】
また、計数部50の動作は、球貸制御装置が制御するようになっている。
（球貸制御装置）
球貸制御装置は、球貸機20の動作を制御するためのものである。
また、球貸制御装置は、ＣＰＵ、ＲＡＭ、ＲＯＭ、Ｉ／Ｏなどを備えたマイクロコンピュータを用いて構成されており、ＲＯＭに記憶された所定のプログラムを実行することで、貸出部30の動作を制御するための貸出制御手段や、計数部50の動作を制御するための計数制御手段や、回収部40が回収した球の数をカウントするための回収球数カウンタや、回数球数カウンタのカウント値をプリペイドカード32に書き込むための回収球数書込手段や、エラーを検知するための計数エラー検知手段や、計数エラー検知手段がエラーを検知したときに所定のエラー対応を行う計数エラー対応手段などとして機能するものである。
【００６８】
（貸出制御手段）
貸出制御手段は、貸出部30の動作を制御するためのものである。
貸出部30のカードリーダー31に所定のプリペイドカード32が挿入された状態で、球貸スイッチが操作されると、貸出制御手段は、貸出信号を出力する。この貸出信号は、遊技機10の払出制御装置に入力されるようになっている。そして、遊技機10の払出制御装置は、貸出信号の入力があると、所定の個数の球を払出口から球皿としての上皿13に払い出すように、遊技機10の払出部の動作を制御する。このようにして、遊技に用いる球の貸し出しが行われる。
【００６９】
また、貸出部30のカードリーダー31に所定のプリペイドカード32が挿入された状態で、返却スイッチが操作されると、貸出制御手段は、カードリーダー31からプリペイドカード32を排出する。これにより、プリペイドカード32が遊技者に返却される。
（計数制御手段）
計数制御手段は、計数部50の動作を制御するためのものである。
計数球検知器65が計数球貯留部51内の球を検知すると、具体的には、計数球検知板67が球の重量で下方へ変位することにより、計数球検知スイッチ68が作動すると、計数球検知信号が出力される。この計数球検知信号は、球貸制御装置に入力されるようになっている。また、計数制御手段は、計数球検知信号の入力があると、計数用モータ59の駆動信号を出力して、計数用モータ59を駆動させる。一方、計数制御手段は、計数球検知信号の入力がないと、計数用モータ59の駆動信号の出力を停止して、計数用モータ59の駆動を停止させる。
【００７０】
（回収球数カウンタ）
回収球数カウンタは、回収部40が回収した球の数をカウントするためのものである。
計数用回転ディスク55の回転によって移送されて球出口54から排出された球を計数用センサー62が検知すると、計数信号が出力される。この計数信号は、球貸制御装置に入力されるようになっている。また、回収球数カウンタは、計数信号の入力がある毎に、カウント値を１つ加算する。回数球数カウンタのカウント値が、回収部40が回収した球の数を示す。
（回収球数書込手段）
回収球数書込手段は、回数球数カウンタのカウント値をプリペイドカード32に書き込むためのものである。つまり、回数球数書込手段は、回収部40が回収した球の数をプリペイドカード32に書き込むためのものである。
【００７１】
（計数エラー検知手段）
計数エラー検知手段は、エラーを検知するためのものである。
計数球貯留部51内に球がある旨が計数球検知器65によって検知されると、つまり、計数球検知スイッチ68が作動すると、計数球検知信号が出力される。この計数球検知信号は、球貸制御装置に入力されるようになっている。ここで、球貸制御装置への計数球検知信号の入力があると、計数制御手段が、計数用モータ59の駆動信号を出力して、計数用モータ59の駆動軸60を回転させ、計数用回転ディスク55を回転させる。このため、球貸制御装置への計数球検知信号の入力があるときには、計数用モータ59の駆動軸60および計数用回転ディスク55は回転しているはずであり、計数用モータ59の駆動軸60および計数用回転ディスク55が回転していないと、計数部50に不正行為あるいは故障などのエラーが発生している可能性がある。またここで、計数用モータ59の駆動軸60および計数用回転ディスク55が回転すれば、その旨が、計数用回転検知ディスク63と計数用回転検知センサー64とから構成されるロータリーエンコーダによって検知される。
【００７２】
そして、球貸制御装置への計数球検知信号の入力があるとき、または計数用モータ59の駆動信号が出力されているときに、計数用回転検知ディスク63と計数用回転検知センサー64とから構成されるロータリーエンコーダによって、計数用モータ59の駆動軸60および計数用回転ディスク55の回転が検知されないと、計数エラー検知手段は、計数部50に不正行為あるいは故障などのエラーが発生していると判断して、計数エラー検知信号を出力する。
また、球貸制御装置への計数球検知信号の入力がないにもかかわらず、または計数用モータ59の駆動信号が出力されていないにもかかわらず、計数用回転検知ディスク63と計数用回転検知センサー64とから構成されるロータリーエンコーダによって、計数用モータ59の駆動軸60および計数用回転ディスク55の回転が検知されたときにも、計数エラー検知手段は、計数部50に不正行為あるいは故障などのエラーが発生していると判断して、計数エラー検知信号を出力する。
【００７３】
（計数エラー対応手段）
計数エラー対応手段は、計数エラー検知手段がエラーを検知したときに所定のエラー対応を行うためのものである。
計数エラー検知手段は、エラーを検知すると、計数エラー検知信号を出力し、また、計数エラー対応手段は、計数エラー検知信号の出力があると、所定のエラー対応を行う。また、エラー対応としては、例えば、遊技機10やその周囲に設けられている表示装置を用いてエラーである旨を知らせたり、あるいはホールコンピュータに対して計数エラー検知信号を送信することができる。
【００７４】
なお、ホールコンピュータとは、パチンコホールに設置されているコンピュータであって、遊技機10を管理したり、遊技機10の稼動状況などを監視・分析するためのものである。
（補給機70）
図１および図２に示すように、本実施の形態では、補給機70は、使用済球通路によって誘導された球および計数部50で計数された後の球を貯留するための下貯留部80と、下貯留部80に貯留されている球を送り出すための送球部90と、送球部90によって送り出された球を上貯留部15へ移送するための移送通路100と、球を磨くためのものであって移送通路100の途中に設けられている研磨部110と、補給機70の動作を制御する補給制御装置とを備えている。
【００７５】
（下貯留部80）
下貯留部80は、使用済球通路によって誘導された球および計数部50で計数された後の球を貯留するためのものである。
図１および図２に示すように、下貯留部80は、使用済球通路および計数部50よりも下方に位置している。また、使用済球通路から排出された球は、使用済球シュート81によって移送されて、下貯留部80へ至り、そこに貯留されるようになっている。また、計数部50で計数された後の球も、下貯留部80へ至り、そこに貯留されるようになっている。
また、下貯留部80の底面は、周縁から中央へ向かうにしたがって高さが次第に低くなるように滑らかに傾斜している。また、下貯留部80の底面中央には、底面を上下に貫通する落下口が設けられている。
【００７６】
（送球部90）
送球部90は、下貯留部80に貯留されている球を送り出すためのものである。
図４に示すように、本実施の形態では、送球部90は、送球用ベース91と、送球用ベース91の上面上を回転するものであって球を送り出すための送球用回転ディスクと、送球用回転ディスクを回転させるための送球用モータ92と、送球用回転ディスクを囲むようにして送球用ベース91の上面から上方へ向けて突出する円筒状の送球用バケット93と、送球用モータ92の駆動軸と共に回転する送球用回転検知ディスク94と、送球用回転検知ディスク94の回転を検知する送球用回転検知センサー95とを備えている。また、送球用バケット93の上端は、下貯留部80の底面中央に連設されており、下貯留部80の底面中央の落下口から落下した球は、送球用バケット93を介して、送球用回転ディスクへと至るようになっている。
【００７７】
また、送球用ベース91の上面には、送球用回転ディスクがすっぽり嵌り込む大きさの円形凹部と、円形凹部の縁から円形凹部の接線方向へ延びて送球用ベース91の一端へ至る、円形凹部と同じ深さの排出路とが設けられている。また、排出路の先端は、送球用ベース91の一端に開口しており、球が排出される球出口とされている。また、円形凹部の底面には、Ｃ字形のガイド溝が設けられている。また、ガイド溝は、送球用回転ディスクの貫通孔の回転軌跡に沿うように形成されている。また、排出路の底面には、排出路の長手方向に沿って形成された導出溝が設けられている。また、導出溝は、ガイド溝の一端から、送球用回転ディスクの貫通孔の回転軌跡の接線方向へ向けて延びている。また、ガイド溝と導出溝とは、滑らかに接続されている。また、ガイド溝および導出溝の深さは、球の半径よりもやや浅く形成されている。つまり、ガイド溝および導出溝の深さは、球の半径よりもやや小さい。また、ガイド溝および導出溝の幅は、球の直径よりもやや狭く形成されている。つまり、ガイド溝および導出溝の幅は、球の直径よりもやや小さい。これにより、ガイド溝および導出溝には、球の中心よりも下側の部分がはまり込むようになっている。
【００７８】
また、送球用回転ディスクは、球を送り出すためのものであって、ほぼ円盤状に形成され、送球用ベース91の上面に設けられた円形凹部に収納されており、この中で回転するようにしてある。本実施の形態では、送球用回転ディスクは、上から見て反時計回り（左回り）に回転するものとなっている。また、送球用回転ディスクの中心には、シャフト固定部が設けられている。また、送球用回転ディスクの下面からガイド溝の底までの距離が、球の直径よりもわずかに大きくなるように、送球用ベース91および送球用回転ディスクが形成されている。また、送球用回転ディスクには、その上面から下面まで貫通する貫通孔が複数個、その中心から等距離の位置に、等間隔で設けられている。また、各貫通孔の内径は、それぞれ、球の直径よりもわずかに大きい。これにより、各貫通孔は、それぞれ、球を通過させることが可能とされている。また、送球用回転ディスクの下面における、各貫通孔から見て送球用回転ディスクの回転方向の後方に相当する位置には、それぞれ、ガイド溝の底方向へ向けて突出する球押圧部が設けられている。また、球押圧部は、ガイド溝にはまり込んだ球を、送球用回転ディスクの回転に伴って後方から押して、ガイド溝に沿って移動させるためのものである。また、球押圧部は、貫通孔と同数個設けられている。また、各球押圧部は、対応する各貫通孔から見て、送球用回転ディスクの回転方向の後方に設けられている。つまり、貫通孔と球押圧部とは一対一対応になっている。また、各球押圧部は、送球用回転ディスクの中心から離れるに従って、送球用回転ディスクの回転方向の後方へ曲がるように、滑らかに湾曲している。また、隣接する球押圧部同士の間は、それぞれ、球が通り抜けるための通り抜け口とされている。
【００７９】
また、送球用モータ92は、送球用回転ディスクを回転させるためのものである。本実施の形態では、送球用モータ92は、送球用回転ディスクよりも下方に設けられている。そして、送球用モータ92は、駆動軸を上方に向けて突出させている。また、送球用モータ92の駆動軸には、シャフトが固定され、このシャフトの上端が、送球用回転ディスクの中心に設けたシャフト固定部に固定されている。そして、送球用モータ92の駆動軸が回転すると、シャフトを介して、送球用回転ディスクが回転するようになっている。
また、送球用回転ディスクに供給された球は、貫通孔を通過して、ガイド溝に嵌り込む。また、ガイド溝に嵌り込んだ球は、送球用回転ディスクが回転すると、球押圧部に押され、ガイド溝に沿って移動する。そして、球押圧部に押されてガイド溝に沿って移動してきた球は、ガイド溝と導出溝との接続部まで達すると、ガイド溝から離脱し、その後は導出溝に沿って移動する。また、ガイド溝に嵌り込んだ球がガイド溝から離脱して導出溝へ送り出されると、別の球が送球用回転ディスクの貫通孔を通過して、ガイド溝に嵌り込む。そして、このようにしてガイド溝に嵌り込んだ球も、送球用回転ディスクが回転すると、上述したように、ガイド溝から離脱して導出溝へ送り出される。送球用回転ディスクが回転し続けると、このような動作が繰り返されて、ガイド溝から導出溝へ次々と球が送り出される。そうすると、導出溝には、複数の球が数珠つなぎになって並ぶ。そして、先に導出溝へ送り出された球は、後から次々と導出溝へ送り出される球に押されて移動する。そして、ガイド溝から導出溝へ球が１個送り出される毎に、球出口から球が１個押し出される。
【００８０】
また、送球用回転検知ディスク94は、円板状に形成され、その中心をシャフトに固定されており、シャフトと共に回転するようにしている。また、シャフトは、送球用モータ92の駆動軸および送球用回転ディスクと共に回転することから、送球用回転検知ディスク94は、送球用モータ92の駆動軸および送球用回転ディスクと共に回転する。また、送球用回転検知ディスク94には、その上面から下面まで貫通する多数の検知孔が、送球用回転検知ディスク94の中心から等距離の位置に、所定間隔で設けられている。
また、送球用回転検知センサー95は、送球用回転検知ディスク94の回転を検知するためのものである。送球用回転検知センサー95は、フォトセンサーを用いて構成されている。また、このフォトセンサーは、光を発する発光部と、発光部から発せられた光を受ける受光部とを備えており、発光部と受光部とで送球用回転検知ディスク94を挟むようにしている。また、送球用モータ92の駆動軸および送球用回転ディスクの回転に伴って送球用回転検知ディスク94が回転すると、送球用回転検知ディスク94に設けられた多数の検知孔が、発光部と受光部との間を順次通過する。また、検知孔が設けられている位置では、発光部から発せられた光は受光部に届き、それ以外の位置では、発光部から発せられた光は受光部には届かない。そして、受光部が光を受けたり受けなかったりする状態が連続して検知されれば、送球用回転検知ディスク94が回転しているということになる。また、受光部が光を受ける状態が連続して検知されたり、あるいは受光部が光を受けない状態が連続して検知されたりすれば、送球用回転検知ディスク94が回転していないということになる。そして、送球用回転検知ディスク94と、送球用回転検知ディスク94の回転を検知するための送球用回転検知センサー95としてのフォトセンサーとから、送球用モータ92の駆動軸や送球用回転ディスクが回転しているか否かを検知するためのロータリーエンコーダが構成されている。また、送球用モータ92の駆動軸が回転すれば、送球用回転検知ディスク94が回転し、さらに、送球用回転ディスクも回転する。逆に、送球用回転ディスクが回転すれば、送球用回転検知ディスク94が回転し、さらに、送球用モータ92の駆動軸も回転する。また、送球用モータ92の駆動軸の回転が停止すれば、送球用回転検知ディスク94の回転が停止し、さらに、送球用回転ディスクの回転も停止する。逆に、送球用回転ディスクの回転が不正行為や故障などにより停止すれば、送球用回転検知ディスク94の回転が停止し、さらに、送球用モータ92の駆動軸の回転も停止する。このため、送球用回転検知ディスク94と送球用回転検知センサー95とから構成されるロータリーエンコーダによって、送球用モータ92の駆動軸や送球用回転ディスクが回転しているか否かを検知できる。
【００８１】
（補給制御装置）
補給制御装置は、補給機70の動作を制御するためのものである。
また、補給制御装置は、ＣＰＵ、ＲＡＭ、ＲＯＭ、Ｉ／Ｏなどを備えたマイクロコンピュータを用いて構成されており、ＲＯＭに記憶された所定のプログラムを実行することで、送球部90の動作を制御するための送球制御手段や、エラーを検知するための補給エラー検知手段や、補給エラー検知手段がエラーを検知したときに所定のエラー対応を行う補給エラー対応手段などとして機能するものである。
（送球制御手段）
送球制御手段は、送球部90の動作を制御するためのものである。
【００８２】
上貯留部15内の球の量が一定以下になり、球量検知板の上の球が比較的少なくなると、あるいは球量検知板の上の球がなくなると、上方復帰バネの付勢力により、球量検知板が回動軸を中心に回動するようにして上方へ押し上げられる。そうすると、球量検知スイッチの押された状態が解除されて、補給開始信号が出力される。この補給開始信号は、補給機70の補給制御装置に入力されるようになっている。また、送球制御手段は、補給開始信号の入力があると、送球用モータ92の駆動信号を出力して、送球用モータ92を駆動させる。
上貯留部15内の球の量が一定以上になり、球量検知板の上に比較的多くの球が載った状態になると、球量検知板が回動軸を中心に回動するようにして下方へ押し込まれる。そうすると、球量検知スイッチが押されて、補給停止信号が出力される。この補給停止信号も、補給開始信号と同様に、補給機70の補給制御装置に入力されるようになっている。また、送球制御手段は、補給停止信号の入力があると、送球用モータ92の駆動信号の出力を停止して、送球用モータ92の駆動を停止させる。
【００８３】
このようにして、下貯留部80から上貯留部15への球の補給が行われる。
（補給エラー検知手段）
補給エラー検知手段は、エラーを検知するためのものである。
ここで、補給制御装置への補給開始信号の入力があると、送球制御手段が、送球用モータ92の駆動信号を出力して、送球用モータ92の駆動軸を回転させ、送球用回転ディスクを回転させる。このため、補給制御装置への補給開始信号の入力があるときには、送球用モータ92の駆動軸および送球用回転ディスクは回転しているはずであり、送球用モータ92の駆動軸および送球用回転ディスクが回転していないと、計数部50に不正行為あるいは故障などのエラーが発生している可能性がある。またここで、送球用モータ92の駆動軸および送球用回転ディスクが回転すれば、その旨が、送球用回転検知ディスク94と送球用回転検知センサー95とから構成されるロータリーエンコーダによって検知される。
【００８４】
そして、補給制御装置への補給開始信号の入力があるとき、または補給用モータの駆動信号が出力されているときに、補給用回転検知ディスクと補給用回転検知センサーとから構成されるロータリーエンコーダによって、補給用モータの駆動軸および補給用回転ディスクの回転が検知されないと、補給エラー検知手段は、送球部90に不正行為あるいは故障などのエラーが発生していると判断して、補給エラー検知信号を出力する。
また、補給制御装置への補給停止信号の入力があるにもかかわらず、または補給用モータの駆動信号が出力されていないにもかかわらず、補給用回転検知ディスクと補給用回転検知センサーとから構成されるロータリーエンコーダによって、補給用モータの駆動軸および補給用回転ディスクの回転が検知されたときにも、補給エラー検知手段は、送球部90に不正行為あるいは故障などのエラーが発生していると判断して、補給エラー検知信号を出力する。
【００８５】
（補給エラー対応手段）
補給エラー対応手段は、補給エラー検知手段がエラーを検知したときに所定のエラー対応を行うためのものである。
補給エラー検知手段は、エラーを検知すると、補給エラー検知信号を出力し、また、補給エラー対応手段は、補給エラー検知信号の出力があると、所定のエラー対応を行う。また、エラー対応としては、例えば、遊技機10やその周囲に設けられている表示装置を用いてエラーである旨を知らせたり、あるいはホールコンピュータに対して補給エラー検知信号を送信することができる。
【００８６】
（移送通路100）
移送通路100は、送球部90によって送り出された球を上貯留部15へ移送するためのものである。
移送通路100は、パイプを用いて構成されている。また、移送通路100としてのパイプの内径は、球の直径よりもわずかに大きくしてある。これにより、移送通路100は、球を一列に整列させて移送することができるようにしてある。
また、移送通路100の下端は、送球部90の球出口に連設されている。
また、送球部90の球出口から押し出された球は、移送通路100の下端から移送通路100内に押し込まれる。また、送球用回転ディスクが回転し続けると、移送通路100内にも次々と球が押し込まれることから、移送通路100内にも複数の球が数珠つなぎになって並ぶ。そして、移送通路100の下端から球が１個押し込まれる毎に、移送通路100の上端から球が１個押し出されるようになる。
【００８７】
また、移送通路100の上端は、上貯留部15よりも上方まで延びている。そして、移送通路100の上端から排出された球は、補給球シュート101によって移送されて、上貯留部15へ至り、そこに貯留されるようになっている。
（研磨部110）
研磨部110は、球を磨くためのものであって、移送通路100の途中に設けられている。
また、研磨部110は、平行に設けたｎ（ｎ≧３）本のガイド部材111を備えている。図５に示すように、本実施の形態では、研磨部110は、平行に設けた４本のガイド部材111を備えている。つまり、本実施の形態では、ｎ＝４である。そして、ｎ本（４本）のガイド部材111の内側には、球を移送するための移送路が設けられている。また、移送路の中心から各ガイド部材111までの距離は、球の半径よりもわずかに大きく設定され、かつ、隣り合うガイド部材111同士の間隔は、球の直径よりも小さく設定されている。これにより、複数の球が移送路内で一列に整列した状態で、ｎ本（４本）のガイド部材111の長手方向に沿って移送されるようにしてある。
【００８８】
さらに、図５に示すように、研磨部110は、ｎ本（４本）のガイド部材111の外側からこれらを包むように設けられる紙製または布製の研磨材114と、研磨材114の外側から研磨材114とともにｎ本（４本）のガイド部材111を囲むように保持する保持具115と、保持具115の内面に設けられており隣り合うガイド部材111同士の間隙を介して移送路内の球に研磨材114を押し当てる押し当て部材122とを備えている。
（ガイド部材111）
図５に示すように、本実施の形態では、研磨部110は、平行に設けた４本のガイド部材111を備えている。また、これら４本のガイド部材111は、下端を下側ガイド固定部材112に、上端を上側ガイド固定部材113に、それぞれ固定されている。
【００８９】
具体的には、図５に示すように、本実施の形態では、下側ガイド固定部材112および上側ガイド固定部材113は、いずれも、金属製のリング状の部材を用いて構成されている。また、下側ガイド固定部材112および上側ガイド固定部材113の内径は、いずれも、球の直径よりも大きく設定されている。これにより、リング状の下側ガイド固定部材112および上側ガイド固定部材113の内側を球が通過可能にしてある。
また、図５に示すように、本実施の形態では、各ガイド部材111は、金属製の細長い板状の部材を用いて構成されており、その上下の端部付近がそれぞれ折り曲げられ、折り曲げられた部分が下側ガイド固定部材112および上側ガイド固定部材113にそれぞれ溶接されて固定されている。
【００９０】
また、４本のガイド部材111の内側には、球を移送するための移送路が設けられている。また、移送路の中心から各ガイド部材111までの距離は、球の半径よりもわずかに大きく設定されている。また、隣り合うガイド部材111同士の間隔は、球の直径よりも小さく設定されている。つまり、移送路の中心から各ガイド部材111までの距離が、球の半径よりもわずかに大きくなり、かつ、隣り合うガイド部材111同士の間隔が、球の直径よりも小さくなるように、各ガイド部材111の下端が下側ガイド固定部材112に、同上端が上側ガイド固定部材113に、それぞれ溶接されて固定されている。これにより、複数の球が移送路内で一列に整列した状態で、４本のガイド部材111の長手方向に沿って移送されるようになっている。
【００９１】
（研磨材114）
研磨材114は、ｎ本（４本）のガイド部材111の内側に設けられる移送路を通る球を研磨するためのものである。また、研磨材114には、紙製または布製のものが用いられる。そして、図５に示すように、研磨材114は、ｎ本（４本）のガイド部材111の外側からこれらを包むように設けられるものである。
（保持具115）
保持具115は、研磨材114の外側から研磨材114とともにｎ本（４本）のガイド部材111を囲むように保持するためのものである。
【００９２】
また、図５に示すように、保持具115は、半円筒状の第１保持片116と、半円筒状の第２保持片117とを備えている。そして、双方の凹部を互いに向かい合わせるようにして、第１保持片116と第２保持片117とを合致させると、円筒状になる。
また、図５に示すように、第１保持片116の一辺には、第１軸受部118が設けられ、また、第２保持片117の一辺には、第２軸受部119が設けられている。また、第１軸受部118は、回動軸120によって、第２軸受部119に、回動可能に軸支されている。これにより、第１保持片116は、回動軸120を中心に第２保持片117に対して回動するようになっている。つまり、第１保持片116および第２保持片117は、回動軸120とは反対側が開閉するようになっている。
【００９３】
また、図５に示すように、回動軸120の外側に嵌めるようにして、コイルバネ121が設けられている。また、コイルバネ121は、第１保持片116と第２保持片117とが双方の凹部を向かい合わせて合致するように、付勢するものである。つまり、コイルバネ121は、第１保持片116および第２保持片117の回動軸120とは反対側が開いた状態から閉じた状態になるように、付勢するものである。
また、図５に示すように、第１軸受部118における、第１保持片116とは反対側には、第１開閉片123が設けられ、また、第２軸受部119における、第２保持片117とは反対側には、第２開閉片124が設けられている。そして、第１保持片116および第２保持片117の回動軸120とは反対側が閉じた状態では、第１開閉片123および第２開閉片124は開いた状態となり、一方、コイルバネ121の付勢力に抗して、第１開閉片123および第２開閉片124を閉じた状態にすると、第１保持片116および第２保持片117の回動軸120とは反対側が開いた状態になるように形成されている。
【００９４】
（押し当て部材122）
押し当て部材122は、保持具115の内面に設けられているものであって、隣り合うガイド部材111同士の間隙を介して、移送路内の球に研磨材114を押し当てるためのものである。
図５に示すように、本実施の形態では、隣り合うガイド部材111同士の間隙は、４ヶ所あり、これに合わせるようにして、保持具115の内面には、４個の押し当て部材122が設けられている。また、各押し当て部材122は、保持具115の内面から内方へ向けて突出しており、隣り合うガイド部材111同士の間隙の形状に合致した形状に形成されている。そして、各押し当て部材122は、研磨材114を、隣り合うガイド部材111同士の間隙から、移送路内に押し込むようにしている。このようにして、各押し当て部材122は、移送路内を移送される複数の球に、研磨材114を押し当てるようにしている。
【００９５】
つまり、研磨材114は、押し当て部材122によって、隣り合うガイド部材111同士の間隙から、移送路内へ押し込まれる。そして、このようにして移送路内に押し込まれた研磨材114が、移送路内を移送される球に当たる。そして、移送路内を移送される球の表面に付着した汚れは、研磨材114によって拭き取られる。このようにして、移送路内を移送される球が研磨材114で研磨され、球の表面に付着した汚れが研磨材114に移り、球がきれいになる。
また、研磨材114の汚れの程度により、第１保持片116および第２保持片117の回動軸120とは反対側を開いて取り外して、新しい研磨材114に交換する。
【００９６】
（遊技機島装置160の構築）
図６に示す遊技機島装置160は、上述した一組の遊技システムを１台の設置台155に組み込んで一の遊技ユニット130とし、この遊技ユニット130を２台並設して構築したものである。
本実施の形態では、第１および第２の２台の遊技機10と、２台の各遊技機10にそれぞれ対応して設けられる第１および第２の２台の球貸機20と、２台の各遊技機10にそれぞれ対応して設けられる第１および第２の２台の補給機70と、２台の各遊技機10にそれぞれ対応して設けられる第１および第２の２台の設置台155とが備えられている。
【００９７】
そして、第１設置台155の遊技機設置部に、第１遊技機10が設置されるとともに、第１遊技機10に対応する第１球貸機20が、第１設置台155の球貸機設置部に、また、第１遊技機10に対応する第１補給機70が、第１設置台155の補給機設置部に、それぞれ設置される。
同様に、第２設置台155の遊技機設置部に、第２遊技機10が設置されるとともに、第２遊技機10に対応する第２球貸機20が、第２設置台155の球貸機設置部に、また、第２遊技機10に対応する第２補給機70が、第２設置台155の補給機設置部に、それぞれ設置される。
【００９８】
また、パチンコホールの床における、遊技ユニット130を設置しようとする位置に、アンカーボルト140を設け、このアンカーボルト140に遊技ユニット130を固定して設置する。
なお、端の遊技ユニット130の外側の側面には、化粧パネル150を設けている。
また、遊技ユニット130の上方には、遊技ユニット130へ電源や所定の信号を供給するための電源ライン145を設けている。
以上説明したように、本実施の形態では、球貸機20に、払出部を駆動させて上貯留部15に貯留されている球を払出口から球皿に払い出すことにより遊技に用いる球の貸し出しを行う貸出部30と、球皿に貯留されている球を遊技に用いることなく回収するための回収部40と、回収部40によって回収された球の数を計数するための計数部50とを備えるとともに、補給機70に、使用済球通路によって誘導された球および計数部50で計数された後の球を貯留するための下貯留部80と、下貯留部80に貯留されている球を送り出すための送球部90と、送球部90によって送り出された球を上貯留部15へ移送するための移送通路100と、球を磨くためのものであって移送通路100の途中に設けられている研磨部110とを備えたことから、一の遊技機10とその周辺設備の中だけで球が循環する遊技システムとしてコンパクトで安価なものを提供できる。
【００９９】
また、一の遊技機10とその周辺設備のセットである、本実施の形態に係る遊技システムの中だけで球が循環することから、大掛かりな設備工事が不要となるので、改装に伴う遊技機10の増減や配置変更を容易に行えるようになる。
もちろん、一の遊技機10とその周辺設備のセットである、本実施の形態に係る遊技システムを、一組のみ単独で設置することも可能である。
また、一の遊技機10とその周辺設備のセットである、本実施の形態に係る遊技システムの中だけで球が循環するものの、移送通路100の途中に研磨部110を設けたことから、球や遊技領域等の汚れを防止できる。
【０１００】
また、本実施の形態では、球皿に貯留されている球を回収部40で回収するものの、下貯留部80へ移す前に計数部50で計数することから、球皿に貯留されている球の数を把握できる。
また、本実施の形態では、計数部50に、回収部40によって回収された球を貯留する計数球貯留部51と、計数球貯留部51に貯留されている球が流れ込む計数用ベース52と、計数用ベース52に流れ込んできた球を移送する計数用回転ディスク55と、計数用回転ディスク55を回転させる計数用モータ59と、計数用回転ディスク55によって移送された球を排出する球出口54と、球出口54から排出された球を検知する計数用センサー62とを備え、また、計数用回転ディスク55には、その上面から下面まで貫通する複数の貫通孔56を設けて、計数球貯留部51から流れ込んできた球を上面側から取り込んで下面側から球出口54へ排出するように、各貫通孔56を形成し、さらに、計数用回転ディスク55における隣り合う貫通孔56の間を仕切部57とし、計数用回転ディスク55の回転に伴って計数球貯留部51から球出口54への球の経路を仕切部57が横切るようにしている。
【０１０１】
このため、各仕切部57が、計数球貯留部51から球出口54への球の経路を、定期的・機械的に遮断する。このため、例えば、糸を括り付けた球を計数用センサー62の位置まで進ませ、糸を操ることで球が計数用センサー62の前後を往復するようにして、回収部40が回収した球の数を不正に加算しようとしても、計数球貯留部51から球出口54への球の経路を、各仕切部57が定期的・機械的に遮断するので、糸をうまく操れず、しまいには糸が計数用回転ディスク55に絡まったり途中で切れたりする。したがって、計数用センサー62にアクセスするような不正行為を防止することができる。
さらに、計数用回転ディスク55に糸が絡まると、計数用モータ59の駆動信号が出力されているにもかかわらず、計数用回転ディスク55が回転しなくなることもある。このような場合には、計数エラー検知手段により、計数部50に不正行為あるいは故障などのエラーが発生していると判断されて、計数エラー信号が出力される。したがって、計数用センサー62にアクセスするような不正行為を防止することができる。
【０１０２】
また、本実施の形態では、研磨部110に、平行に設けたｎ（ｎ≧３）本のガイド部材111を備え、ｎ本のガイド部材111の内側に、球を移送するための移送路を設けた。また、移送路の中心から各ガイド部材111までの距離を、球の半径よりもわずかに大きく設定し、かつ、隣り合うガイド部材111同士の間隔を、球の直径よりも小さく設定した。これにより、複数の球を移送路内で一列に整列させた状態で、ｎ本のガイド部材111の長手方向に沿って移送可能にした。さらに、ｎ本のガイド部材111の外側からこれらを包むように設けられる紙製または布製の研磨材114と、研磨材114の外側から研磨材114とともにｎ本のガイド部材111を囲むように保持する保持具115と、保持具115の内面に設けられており隣り合うガイド部材111同士の間隙を介して移送路内の球に研磨材114を押し当てる押し当て部材122とを備えた。
【０１０３】
このため、研磨材114は、押し当て部材122によって、隣り合うガイド部材111同士の間隙から、移送路内へ押し込まれる。そして、このようにして移送路内に押し込まれた研磨材114が、移送路内を移送される球に当たる。そして、移送路内を移送される球の表面に付着した汚れは、研磨材114によって拭き取られる。このようにして、移送路内を移送される球が研磨材114で研磨され、球の表面に付着した汚れが研磨材114に移り、球がきれいになる。しかも、研磨部110はコンパクトである。
【図面の簡単な説明】
【０１０４】
【図１】本実施の形態に係る球貸機および補給機を示す斜視図。
【図２】本実施の形態に係る遊技システムの側面図。
【図３】本実施の形態に係る計数部を示す分解斜視図。
【図４】本実施の形態に係る送球部を示す分解斜視図。
【図５】本実施の形態に係る研磨部の分解斜視図および平面図。
【図６】本実施の形態に係る遊技システムの設置を示す斜視図。
【符号の説明】
【０１０５】
10  遊技機                           11  裏枠
12  前枠                             13  上皿
14  下皿                             15  上貯留部
20  球貸機                           30  貸出部
31  カードリーダー                   32  プリペイドカード
40  回収部                           41  回収樋
50  計数部                           51  計数球貯留部
52  計数用ベース                     53  円形凹部
54  球出口                           55  計数用回転ディスク
56  貫通孔                           57  仕切部
58  球押圧部                         59  計数用モータ
60  駆動軸                           61  シャフト
62  計数用センサー                   63  計数用回転検知ディスク
64  計数用回転検知センサー           65  計数球検知器
66  検知板用孔                       67  計数球検知板
68  計数球検知スイッチ               70  補給機
80  下貯留部                         81  使用済球シュート
90  送球部                           91  送球用ベース
92  送球用モータ                     93  送球用バケット
94  送球用回転検知ディスク           95  送球用回転検知センサー
100  移送通路                        101  補給球シュート
110  研磨部                          111  ガイド部材
112  下側ガイド固定部材              113  上側ガイド固定部材
114  研磨材                          115  保持具
116  第１保持片                      117  第２保持片
118  第１軸受部                      119  第２軸受部
120  回動軸                          121  コイルバネ
122  押し当て部材                    123  第１開閉片
124  第２開閉片                      130  遊技ユニット
140  アンカーボルト                  145  電源ライン
150  化粧パネル                      155  設置台
160  遊技機島装置
【図１】
2009291542.tif 000003
【図２】
2009291542.tif 000004
【図３】
2009291542.tif 000005
【図４】
2009291542.tif 000006
【図５】
2009291542.tif 000007
【図６】
2009291542.tif 000008